(57)【要約】【課題】  大きく湾曲したサングラスを跳ね上げることが出来るように装着した跳ね上げ式メガネフレームの提供。【解決手段】  湾曲フレーム２の両側には継手部を介してツルを折畳み可能に取付け、該湾曲フレーム２の内側には矯正用レンズを嵌めたフロント部１を両側部のロウ付け片にロウ付けして取着し、そして上記湾曲フレーム２には跳ね上げ装置６を介してサングラス３を跳ね上げ可能に取付けている。【選択図】    図１
2005345880.tif 000002
【特許請求の範囲】
【請求項１】
大きく湾曲したサングラスを跳ね上げることが出来るように装着した跳ね上げ式メガネフレームにおいて、湾曲フレームの両側には継手部を介してツルを折畳み可能に取付け、該湾曲フレームの内側には矯正用レンズを嵌めたフロント部を両側部に掛架した状態で取着し、そして上記湾曲フレームには跳ね上げ装置を介してサングラスを跳ね上げ可能に取付けたことを特徴とする跳ね上げ式メガネフレーム。
【請求項２】
上記湾曲フレームの側部にロウ付け片を設け、該ロウ付け片を介してフロント部をロウ付け固定した請求項１記載の跳ね上げ式メガネフレーム。
【請求項３】
上記湾曲フレームの中央に跳ね上げ装置を取着し、サングラス中央裏側に固定した金具を跳ね上げ装置と連結した請求項１、又は請求項２記載の跳ね上げ式メガネフレーム。
【請求項４】
跳ね上げ式メガネフレームの跳ね上げフレームを跳ね上げる為の装置において、箱とコイルバネを収容したスライダーで構成し、箱にはスライド溝を全長にわたって設けると共にコイルバネ収容溝をスライド溝に重複して一端から所定の長さ分だけ形成し、該スライド溝及びコイルバネ収容溝にはコイルバネを収容したスライダーを取付けて先端部を突出し、該先端部には跳ね上げフレームの裏側に取付けた金具を連結したことを特徴とする跳ね上げ式メガネフレームの跳ね上げ装置。
【発明の詳細な説明】
【技術分野】
【０００１】
本発明はメガネに跳ね上げすることが出来る別の跳ね上げフレームを装着した跳ね上げ式メガネフレーム、及び跳ね上げ装置に関するものである。
【背景技術】
【０００２】
従来、一般的に言われる跳ね上げ式メガネとはフロント部の正面に取付けた別の跳ね上げフレームが上下に開閉するように構成したメガネである。この種のメガネは従来から周知であり、例えば近視用メガネにサングラスを装着して跳ね上げ式としたり、老眼鏡を跳ね上げ式とした形式が多用されている。すなわち、フロント部を二重構造としたメガネフレームであり、表側(正面側)のフレームを跳ね上げることが出来る。
【０００３】
ところで、跳ね上げ式メガネフレームは跳ね上げられるフレームを取付けているが、フロント部に対して跳ね上げフレームは斜め上方へ跳ね上げられる。跳ね上げフレームはフロント部に継手を介して取付けられ、降下して閉じない構造と成っているが、身体を激しく動かす際には作用する衝撃にて閉じてしまうケースが多い。
【０００４】
ところで、従来の跳ね上げ式メガネフレームの跳ね上げ装置として採用されているものに図７に示すものが知られている。該メガネは同図から明らかなごとく、跳ね上げられる跳ね上げフレーム(イ)とツルを取着したメガネのフロント部(ロ)を、それぞれ両サイドに凹継手部(ハ)と凸継手部(ニ)を取付けしてピン(ホ)を介して連結している。
【０００５】
そして凸継手部(ニ)は凹継手部(ハ)に嵌入し、凹継手部(ハ)の開口底面(ヘ)に止着した板バネ(図示なし)が凸継手部(ニ)の突き合わせ面にバネ力を付勢した状態で当接している。よって跳ね上げフレーム(イ)を跳ね上げする場合には上記板バネは変形して底面側へ押され、凸継手部(ニ)の上面と当接したところで元の形に復元する。勿論、上面と当接する場合にも所定のバネ力が作用する為、跳ね上げフレーム(イ)は独りでに閉じることなく、斜め上方へ跳ね上げられたままの状態を保持する。
【０００６】
しかし、上記跳ね上げ装置は小さい凸継手部(ニ)と凹継手部(ハ)から構成され、これに板バネが取付けられた構造であるが、該板バネは非常に小さく成る為に衝撃を吸収することが出来なくて、跳ね上げフレーム(イ)は降下して閉じてしまう。一方、跳ね上げフレーム(イ)が大きく湾曲した形状となる場合、すなわち平面的なフロント部に対して湾曲して顔の側部まで延びるサングラスを跳ね上げフレーム(イ)として装着することは、同図に示すような従来の跳ね上げ装置では不可能である。
【発明の開示】
【発明が解決しようとする課題】
【０００７】
このように、従来の跳ね上げ式メガネフレームには上記のごとき問題がある。本発明が解決しようとする課題はこの問題点であり、安定した跳ね上げを可能とし、又大きく湾曲したサングラスを跳ね上げフレームとして装着した跳ね上げ式メガネフレーム及び跳ね上げ装置を提供する。
【課題を解決するための手段】
【０００８】
本発明に係る跳ね上げ式メガネフレームは、大きく湾曲した跳ね上げフレームと一般の矯正用メガネのフロント部との組み合わせ構造と成っている。湾曲フレームの内側にメガネのフロント部が取着され、そして湾曲フレームの中央に跳ね上げ装置を取付け、該跳ね上げ装置に跳ね上げフレームが固定されている。又、湾曲フレームの両側端にはツルが折畳み可能に取付けられている。ここで、湾曲フレームの形態及び跳ね上げられる跳ね上げフレームの形状は限定しない。
【０００９】
そして、跳ね上げ装置は跳ね上げフレームを跳ね上げることが出来るように構成し、跳ね上げられた跳ね上げフレームの安定性が保たれる。該跳ね上げ装置は箱とスライダーから成り、スライダーにはバネ収容空間となる穴が設けられ、この穴にコイルバネが収容される。そして、コイルバネを収容したスライダーは上記箱に形成しているスライド溝に嵌められてスライド可能と成り、スライダーの先端部は箱から突出する。
【００１０】
箱はフロント部側に固定され、跳ね上げフレームに取着した金具は上記スライダーの先端部に軸ピンを介して連結される。そこで、跳ね上げフレームは軸ピンを中心として旋回して跳ね上げられると共に、金具に形成した当り面が箱の上端面に当接して支持される。この場合、コイルバネのバネ力にてスライダーが引かれ、金具は箱の上端面に押圧されて安定する。
【発明の効果】
【００１１】
本発明の跳ね上げ式メガネフレームは、ある程度の長さを有すコイルバネを備えた跳ね上げ装置によって跳ね上げフレームは跳ね上げられる。跳ね上げ装置のコイルバネは跳ね上げられた跳ね上げフレームを安定して支え、体を激しく動かしても、その時の衝撃をコイルバネは吸収して独りでに閉じることはない。そして、跳ね上げフレームはコイルバネを伸縮して跳ね上げられるが、操作はスムーズである。
【００１２】
又、本発明の跳ね上げ式メガネフレームは、湾曲フレームの内側に矯正メガネのフロント部が取着された構造であり、湾曲フレームにはサングラスが跳ね上げ可能に取付けられる。すなわち、一般の矯正メガネのフロント部と湾曲フレームとの組み合わせで構成することが出来る。
【実施例】
【００１３】
図１は本発明に係る跳ね上げ式メガネフレームを示す実施例である。同図の１はフロント部、２は湾曲フレーム、３はサングラスを表し、フロント部１は従来の矯正メガネのフロント部であり、リムにはレンズが嵌められる。湾曲フレーム２の両側には蝶番４，４を介してツル５，５が折畳み出来るように取付けられている。そして、湾曲フレーム２の中央には跳ね上げ装置６が取着され、上記サングラス３は跳ね上げ装置６に取付けられて跳ね上げられる。すなわち、該サングラスを跳ね上げフレームとして構成している。
【００１４】
図２はフロント部１を表し、該フロント部１は両リム７，７が連結部８にて連結され、中央部には鼻当てパット９，９が取付けられている。そして、リム７，７の外側にはネジ止めしたリムロック２２，２２が設けられて、ネジを弛めることでリム７，７の周長を拡大し、レンズの着脱を行うことが出来る。この構造は従来の一般的なメガネのフロント部と同じである。
【００１５】
図３は湾曲フレーム２にサングラス３を取付けている場合であり、湾曲フレーム２は両リム部１０，１０及び連結部１１を有しているが、リム部１０，１０にはレンズを嵌めておらず、この湾曲フレーム２の正面にサングラス３を取付けている。湾曲フレーム２の製作方法は限定しないが、弾性に優れた金属板を切断して製作され、リム部１０，１０の一部にはロウ付け片１２，１２を設けている。そして、このロウ付け片１２，１２にフロント部１がロウ付けにて取付けられる。
【００１６】
両リム部１０，１０の中間に設けている連結部１１には跳ね上げ装置６が取着されていて、上記サングラス３は該跳ね上げ装置６を介して湾曲フレーム２に装着されている。従って、サングラス３は上方へ跳ね上げることが可能と成る。前記、図１のようにサングラス３が閉じている場合には、フロント部１のリム７，７に嵌めた矯正用レンズ１３，１３とサングラス３を通して見ることが出来、サングラス３を上げて開いた場合には、フロント部１の矯正用レンズ１３，１３だけで見ることが出来る。
【００１７】
この跳ね上げ式メガネフレームは、曲面に大きく湾曲したサングラス３を備え、その為に湾曲フレーム２に取付けられている。すなわち、概略平面的なフロント部１に大きく湾曲したサングラス３を直接装着することが出来ない。そして、該湾曲フレーム２はその形状を保つ為に、フロント部１をロウ付けにて取着し、湾曲フレーム２とフロント部１との組み合わせ構造のフレームとして構成され、その強度は非常に高くなる。
【００１８】
本発明では、上記サングラス３をスムーズに跳ね上げることが出来、しかも跳ね上げられたサングラス３は運動しても独りでに下がって閉じることがないように跳ね上げ装置を備えている。図４は本発明に係る跳ね上げ装置６を示している。該跳ね上げ装置６は箱１４とスライダー１５から成り、スライダー１５はコイルバネ１６を取付けて箱内にスライド可能に収容されている。
【００１９】
(ａ)はコイルバネ１６が伸びていてスライダー１５の先端部１７が後退している場合、(ｂ)はコイルバネ１６が圧縮されてスライダー１５の先端部１７が突出している場合を示している。図５には箱１４とスライダー１５を独立して表しており、箱１４にはスライド溝１８が全長にわたって設けられ、又、一方端からコイルバネ収容溝１９が所定の長さだけ形成されている。従って、スライダー１５が突出することでコイルバネ１６は圧縮されて該スライダー１５を引っ張るバネ力が付勢される。スライダー１５には長方形の穴２１が貫通して設けられ、この長方形穴２１に該コイルバネ１６が収容されている。
【００２０】
箱１４は概略コ形断面を成して、全長に設けられるスライド溝１８と重なり合ってコイルバネ収容溝１９が形成されている。しかし、該コイルバネ収容溝１９は全長ではなく、一端から所定の長さにわたって設けられ、溝底２０はコイルバネ１６のストッパーと成る。すなわち、スライダー１５はスライド溝１８に嵌り、コイルバネ１６はコイルバネ収容溝１９に収容されると共に、該コイルバネ１６の一端は溝底２０に当接する。
【００２１】
すなわち、前記図４(ｂ)に示すように、スライダー１５の先端部１７が突出する場合、長方形穴２１に収容されているコイルバネ１６の一端が溝底２０に当たって圧縮される。その結果、コイルバネ１６のバネ力はスライダー１５に付勢されて、先端部１７を後退させるように働く。
【００２２】
図６は湾曲フレーム２に跳ね上げ装置６を介して取付けられたサングラス３の跳ね上げ操作を表している。サングラス３の裏側上部中心には金具２３が取着され、この金具２３に跳ね上げ装置６のスライダー先端部１７が軸ピン２４を介して連結していて、(ａ)は前記図１に示した場合と同じ状態であり、サングラス３は降下して閉じ、湾曲フレーム２と平行を成している。
【００２３】
(ｂ)はサングラス３を跳ね上げてほぼ水平状態に保たれている場合である。サングラス３に取着している上記金具２３は当接保持面２５ａ，２５ｂ，２５ｃを形成し、(ａ)の場合には当接保持面２５ａが跳ね上げ装置６の箱上端面２６に当接して保持される。金具２３はスライダー１５と連結し、スライダー１５は収容しているコイルバネ１６のバネ力によって当接保持面２５ａが箱上端面２６に当接すると共に付勢されるバネ力によって圧接状態にあり、サングラス３は安定して定位置に保持される。
【００２４】
(ｂ)の場合にサングラス３が水平に跳ね上げられると共に、金具２３の当接保持面２５ｂはバネ力によって圧接状態で箱上端面２６に当接保持される。従って、水平に跳ね上げられたサングラス３が独りでに降下して閉じることはない。(ｃ)はサングラス３をさらに跳ね上げて上方へ起立した状態である。この場合には、金具２３の当接保持面２５ｃが箱上端面２６に当接すると共にバネ力が付勢されて圧接状態にあり、サングラス３が降下して閉じることはない。
【００２５】
ところで、跳ね上げ式メガネフレームとして上記実施例ではサングラス３を対象としているが、一般的な矯正レンズを嵌めた跳ね上げフレームを取付けることは自由である。又、跳ね上げフレームの形態によっては跳ね上げ装置を介してフロント部に直接装着することが出来る。
【図面の簡単な説明】
【００２６】
【図１】サングラスを跳ね上げように構成した跳ね上げ式メガネフレーム。
【図２】跳ね上げ式メガネフレームを構成するフロント部。
【図３】サングラスを取付けている湾曲フレーム。
【図４】跳ね上げ装置。
【図５】跳ね上げ装置を構成する箱とスライダー。
【図６】サングラスの跳ね上げ操作。
【図７】従来の跳ね上げ式メガネフレームの跳ね上げ装置。
【符号の説明】
【００２７】
１  フロント部
２  湾曲フレーム
３  サングラス
４  蝶番
５  ツル
６  跳ね上げ装置
７  リム
８  連結部
９  鼻当てパット
10  リム部
11  連結部
12  ロウ付け片
13  レンズ
14  箱
15  スライダー
16  コイルバネ
17  先端部
18  スライド溝
19  コイルバネ収容溝
20  溝底
21  穴
22  リムロック
23  金具
24  軸ピン
25  当接保持面
26  箱上端面
【図１】
2005345880.tif 000003
【図２】
2005345880.tif 000004
【図３】
2005345880.tif 000005
【図４】
2005345880.tif 000006
【図５】
2005345880.tif 000007
【図６】
2005345880.tif 000008
【図７】
2005345880.tif 000009